(57)【要約】【課題】入力されたデータを適切に印刷すること。【解決手段】印刷装置は、データが割り当てられたレイアウトを印刷する印刷部と、入力されたデータが文章データの場合には、ＯＣＲ処理を行うＯＣＲ処理部と、入力されたデータが静止画データの場合には、レイアウト属性が静止画であるレイアウトにデータを割り当て、入力されたデータが文章データの場合には、レイアウト属性が文章であるレイアウトにデータを割り当る割り当てデータレイアウト判別部とを備える。【選択図】図１
2008182594.tif 000002
【特許請求の範囲】
【請求項１】
印刷用テンプレートを作成するテンプレート作成部と、
作成したテンプレートデータを保持するテンプレート設定保持部と、
スキャンしたデータをレイアウトに割り当てるテンプレートレイアウト割り当て部と、
データが割り当てられたレイアウトを印刷する印刷部と、
スキャン入力されたデータが静止画データなのか文章データなのかを判別するデータ判別部と、
入力されたデータが文章データの場合には、ＯＣＲ処理を行うＯＣＲ処理部と、
入力されたデータが静止画データの場合には、レイアウト属性が静止画であるレイアウトにデータを割り当て、入力されたデータが文章データの場合には、レイアウト属性が文章であるレイアウトにデータを割り当る割り当てデータレイアウト判別部と
を備えたことを特徴とする印刷装置。
【請求項２】
割り当てられた結果をカスタマイズするカスタマイズ部を備えたことを特徴とする請求項１記載の印刷装置。
【請求項３】
割り当てられたデータの大きさ、文字数に合わせて、データを拡大または縮小する割り当てデータ拡大縮小機能部を備えたことを特徴とする請求項１または２記載の印刷装置。
【請求項４】
静止画や文章に応じて、抽出した重要データを領域に割り当てる重要データ抽出部を備えたことを特徴とする請求項１から３のいずれか１項に記載の印刷装置。
【請求項５】
入力されたデータを統合して一つの画像データとして処理した際に、特定の模様や印があるかを判別する判別部を備え、特定の模様や印がある場合には、処理を変更することを特徴とする請求項１から４のいずれか１項に記載の印刷装置。
【請求項６】
入力されたデータを統合して一つの文章データとして処理した場合に、文章中に特定の文字列があるかを判別する判別部を備え、特定の文字列がある場合には、処理を変更することを特徴とする請求項１から５のいずれか１項に記載の印刷装置。
【発明の詳細な説明】
【技術分野】
【０００１】
本発明は、印刷レイアウト用テンプレートを備えた印刷装置に関わり、特に、印刷用データをスキャナを用いて入力する多機能プリンタに関する。
【背景技術】
【０００２】
従来の特許文献１の技術は、あらかじめ作成したレイアウトに静止画の割り当てを行い、効率よく印刷用画面を作成するものである。
【０００３】
ここで、画像形成装置は、顧客に提供する各種データを保持した業者側情報処理装置とネットワークを介して接続するネットワーク接続手段と、情報処理装置から送信された合成用データ及び該合成用データのカテゴリ情報を受信するデータ受信手段と、受信した合成用データを所定の出力フォームに合成する出力フォーム合成手段と、出力フォームに合成した合成データをそのカテゴリ情報に基づいてカテゴリ別に記憶する記憶手段と、表示手段及び画像形成手段を有し、画像形成装置は、記憶手段の合成データをカテゴリ別に読み出して表示手段に表示させ、その中から選択された合成データを画像形成手段に出力することで、様々な業種の業者側から送信される合成用データをネットワークを介して取得し、その合成用データを出力フォームに合成して広告情報等を作成して顧客に対して表示又は印刷出力することができる技術が提案されている（例えば、特許文献２参照）。
【特許文献１】特開２００５−３９８５６号公報
【特許文献２】特開２００５−５１３７７号公報
【発明の開示】
【発明が解決しようとする課題】
【０００４】
しかしながら、上記の従来技術では、、文章が印刷されたものをスキャンしても静止画としか扱えない為に、静止画および文章を含んだ印刷物を作成する場合に、例えば文字数が多い、つまり静止画としては細かく表示されている文章を適切に印刷することが出来ない。また、入力されたデータの一部のみが重要であっても、入力データ全体をレイアウトに割り当てる為に、重要部分が小さくなり最終印刷物の品質が低下してしまう。また、一度に多くのデータをスキャンした際に、その中に機密文書などが紛れ込んでいるなどの場合、多くのデータをチェックして機密文書を探し出し、印刷後にその部分だけ塗りつぶす、もしくは再度機密文書を除いて同じデータをスキャンし印刷し直すなどの手間がかかる。
【０００５】
そこで、本発明では、上記のような問題を鑑み、文章を表示している入力データが入力された場合には、これをOCR処理することにより、文章として適切に処理でき、改行や印刷される文字の大きさの調整も可能となり、入力された文章を適切に印刷することを目的としている。
【０００６】
また、入力されたデータの重要部抽出を行うことで、入力されたデータから重要部分を選択し、最終の印刷物に適切に反映すること、最終印刷物の品質を向上することを目的としている。
【０００７】
また、特定の模様、例えばバーコードやバッテンマークなどが印刷されている場合、または、文章を表示している入力データが入力された場合には、これをＯＣＲ処理することにより、文章として処理し、特定の文字列、例えば「極秘」や「印刷不可」などが印刷されている場合には、そのデータについては印刷をしない、またはオペレーションパネルにおいて印刷するかの確認ができるなど、特殊な処理をすることによって、先述したような手間を省くことを目的としている。
【課題を解決するための手段】
【０００８】
請求項１記載の発明は、印刷用テンプレートを作成するテンプレート作成部と、作成したテンプレートデータを保持するテンプレート設定保持部と、スキャンしたデータをレイアウトに割り当てるテンプレートレイアウト割り当て部と、データが割り当てられたレイアウトを印刷する印刷部と、スキャン入力されたデータが静止画データなのか文章データなのかを判別するデータ判別部と、入力されたデータが文章データの場合には、ＯＣＲ処理を行うＯＣＲ処理部と、入力されたデータが静止画データの場合には、レイアウト属性が静止画であるレイアウトにデータを割り当て、入力されたデータが文章データの場合には、レイアウト属性が文章であるレイアウトにデータを割り当る割り当てデータレイアウト判別部とを備えたことを特徴とする印刷装置である。
【０００９】
請求項２記載の発明は、請求項１記載の印刷装置において、割り当てられた結果をカスタマイズするカスタマイズ部を備えたことを特徴とする。
【００１０】
請求項３記載の発明は、請求項１または２記載の印刷装置において、割り当てられたデータの大きさ、文字数に合わせて、データを拡大または縮小する割り当てデータ拡大縮小機能部を備えたことを特徴とする。
【００１１】
請求項４記載の発明は、請求項１から３のいずれか１項に記載の印刷装置において、静止画や文章に応じて、抽出した重要データを領域に割り当てる重要データ抽出部を備えたことを特徴とする。
【００１２】
請求項５記載の発明は、請求項１から４のいずれか１項に記載の印刷装置において、入力されたデータを統合して一つの画像データとして処理した際に、特定の模様や印があるかを判別する判別部を備え、特定の模様や印がある場合には、処理を変更することを特徴とする。
【００１３】
請求項６記載の発明は、請求項１から５のいずれか１項に記載の印刷装置において、入力されたデータを統合して一つの文章データとして処理した場合に、文章中に特定の文字列があるかを判別する判別部を備え、特定の文字列がある場合には、処理を変更することを特徴とする。
【発明の効果】
【００１４】
本発明によれば、入力されたデータを適切に印刷することができる。
【発明を実施するための最良の形態】
【００１５】
以下、本発明の第１の実施の形態について図面を用いて説明する。
【００１６】
本実施の形態の印刷装置の構成例を図１に示す。
印刷用データ群は、印刷に利用する静止画データ（図中はイメージデータと表記）および、文章データ（図中はテキストイメージデータと表記）を示す。テキストイメージとは、文章が表示されているイメージデータのことを示す。
【００１７】
図中ＭＦＰとあるのは、多機能プリンタを示す。ここでいう多機能プリンタとは、スキャン、ＦＡＸ、コピー、プリンタ機能を統合的に搭載している印刷装置を示す。
【００１８】
多機能プリンタは、印刷用データ群（図２参照）をスキャンし、スキャンされた順番に、データ判別部にてデータが静止画データなのか文書データなのかを判別し、文章データの場合には、ＯＣＲ部にスキャンしたイメージデータを送る。
【００１９】
ＯＣＲ部では、データ判別部より送られたイメージデータをＯＣＲ処理し、テキストデータへと変換する。この例ではデータの判別を自動で行っているとしているが、操作者が手動で行っても良い。
【００２０】
静止画データとテキストデータは、テンプレートレイアウト割り当て部に送られる。テンプレートレイアウト割り当て部は、テンプレート作成部にて作成されたテンプレートデータを保持するテンプレート設定保持部から、テンプレートデータを取得し、また、その他データ（背景、外枠イメージデータ）設定保持部からその他データを取得し、入力されたイメージデータをテンプレート属性が静止画で順番の早いものから割り当て、また、入力されたテキストデータをテンプレート属性がテキストで順番の早いものから割り当て、レイアウト後印刷データを生成する。
【００２１】
テンプレートレイアウト割り当て部は、レイアウト微調整部を備え、レイアウトされている印刷データをプレビュー表示し、個々のイメージデータ、テキストデータの配置や静止画データそのものの印刷濃度、各種静止画処理、印刷されるテキストデータのフォントサイズ、フォント種別などの変更が行える。
【００２２】
テンプレートレイアウト割り当て部は、印刷可能判別部を備え、静止画データ中に印刷不可であることを示す模様がある場合は、プレビュー画面において、該当データの部分に「印刷不可」の文字列と、何も印刷されない旨の注意書きが表示されるように指示をする。この際、印刷不可を示す模様は事前にユーザーが登録可能である。また、「印刷不可」と表示する以外にも何も表示しない（データを削除する）、網掛けをするなどの処理を施してもよい。
【００２３】
レイアウト後印刷データは印刷機能部に送られ、印刷不可であることを示すバーコードを含まない部分のみ正常に印刷され、最終的な印刷物を生成する（図３参照）。
【００２４】
また、印刷不可であるかを自動的に判別するのではなく、オペレーションパネル上でユーザーが手動判定することも可能である。
【００２５】
上記の本実施の形態によれば、入力されたデータを定型のレイアウトで印刷することができるので、定期的に印刷する印刷物（毎月発行する定例報告、毎月発行する町内会のお知らせなど）や、多数の人が同じレイアウトで印刷する印刷物（例えば出張報告書）などを印刷する際に、印刷したいデータ（静止画、文章が印刷されたもの）をスキャンすることにより、同じレイアウトの印刷物を効率よく作成することが出来る。
【００２６】
また、印刷データが文章データの場合に、適切な大きさ（静止画として処理した場合に文字の大きさが小さくなりすぎて読めない可能性がある。）の文章として印刷を行った印刷物を作成することができ、最終的な印刷物の品質を高めることも出来る。
【００２７】
次に、本発明の第２の実施の形態について説明する。
図４を参照すると、本実施の形態では、上記の第１の実施の形態に加えて、入力されたイメージデータおよびテキストデータをテンプレートの大きさに合わせて拡大、縮小するレイアウト拡大縮小部を備える。
【００２８】
次に、本発明の第３の実施の形態について説明する。
図５を参照すると、本実施の形態では、上記の第２の実施の形態に加えて、静止画データ内の重要部を抽出する静止画重要部抽出部と、テキストデータ内の重要部を抽出するテキスト重要部抽出部を備える。
【００２９】
静止画重要部抽出部は、例えば、静止画からオブジェクトの抽出を行い、面積が最大の大きさのオブジェクトを重要イメージデータとして抽出する。他の静止画重要部抽出方法を行ってもかまわない。
【００３０】
テキスト重要部抽出部は、例えば、テキストデータに対して、形態素解析とＴｆｉｄｆを用いた重要テキスト抽出を行い、重要なテキストを抽出する。形態素解析とＴｆｉｄｆ法を利用することで、テキスト文中に含まれるそのテキスト分内で特徴的な文字列を抽出することができ、これを重要テキストとする。
【００３１】
他のテキスト重要部抽出方法を行ってもかまわない。
【００３２】
本実施の形態３のフローチャートを図６に示す。
【００３３】
なお、全てのデータを読み込み、配置し終わった段階で、印刷可能判定部が、プレビューに表示されるイメージをＯＣＲ部に再度処理させ、抽出されたテキストデータに「印刷不可」の文字列が含まれている場合、プレビュー画面において、「印刷不可」の文字列と、何も印刷されない旨の注意書きが表示され、印刷することができなくなるように指示する。
【００３４】
また、「印刷不可」と表示する以外にも何も表示しない（データを削除する）、網掛けをするなどの処理を施してもよい。
【００３５】
上記の本実施の形態によれば、一つの画像や文書を複数枚に分割したデータを読み込んだ際に、分割前のデータが機密文書であったかを自動的に判別することができ、統合したデータを人手で確認する手間を省くことができる。
【００３６】
なお、上述する各実施の形態は、本発明の好適な実施の形態であり、本発明の要旨を逸脱しない範囲内において種々変更実施が可能である。
【図面の簡単な説明】
【００３７】
【図１】本発明の第１の実施形態の概略構成を説明する図である。
【図２】本発明の第１の実施形態の印刷用データの一例を示す図である。
【図３】本発明の第１の実施形態の印刷結果の一例を示す図である。
【図４】本発明の第２の実施形態の概略構成を説明する図である。
【図５】本発明の第３の実施形態の概略構成を説明する図である。
【図６】本発明の実施形態の給紙動作を示すフローチャートである。
【図１】
2008182594.tif 000003
【図２】
2008182594.tif 000004
【図３】
2008182594.tif 000005
【図４】
2008182594.tif 000006
【図５】
2008182594.tif 000007
【図６】
2008182594.tif 000008